(57)【特許請求の範囲】
【請求項１】
設置対象となる建物の複数階に渡る長さの複数の冷媒配管をユニット化して構成された冷媒配管ユニットであって、当該冷媒配管ユニットは、前記建物の床部に貫通状に設けた配管設置用開口部に挿通された状態で、前記建物に設置されるものであり、
前記建物の複数階に渡る長さを有し、且つ、当該冷媒配管ユニットを水平状態から鉛直状態に吊り上げる際の曲げ応力に耐える強度を有する、棒状又は管状の鋼材を一対並設し、
前記一対の鋼材を、これら各鋼材の長手方向に直交する方向に沿って配置された支持部材を介して、相互に連結し、
前記複数の冷媒配管の各々を、前記鋼材の長手方向に平行な方向に沿った向きで配置すると共に、前記複数の冷媒配管を、前記一対の鋼材の並設方向に沿って並設し、
前記複数の冷媒配管を、前記支持部材を介して、前記鋼材に連結し、
前記鋼材及び前記冷媒配管を、前記配管設置用開口部に挿通した状態で当該床部に埋設固定するためのものであって、前記建物の階層方向に沿って配置されたスリーブを有する床貫通部材を設け、
前記鋼材及び前記冷媒配管を、前記床貫通部材の前記スリーブに挿通させた、
冷媒配管ユニット。
【請求項２】
前記冷媒配管を、前記複数列並設した、
請求項１に記載の冷媒配管ユニット。
【請求項３】
前記床貫通部材には、当該冷媒配管ユニットを前記建物の構造部材に取り付けるための取付部材を設け、
前記取付部材を、前記配管設置用開口部における特定方向の幅より長く形成すると共に、前記配管設置用開口部における特定方向の幅よりも側方に突出しない位置と、前記配管設置用開口部における特定方向の幅よりも側方に突出する位置とに、回転可能とした、
請求項１又は２に記載の冷媒配管ユニット。
【請求項４】
前記床貫通部材には、当該冷媒配管ユニットを吊り上げるための吊上部材を設けた、
請求項１から３のいずれか一項に記載の冷媒配管ユニット。
【請求項５】
前記支持部材は、前記冷媒配管が前記鋼材に対して移動することを規制するための固定支持部材を有し、
前記冷媒配管を、前記固定支持部材を介して、前記鋼材に取り外し可能に固定した、
請求項１から４のいずれか一項に記載の冷媒配管ユニット。
【請求項６】
前記支持部材は、前記冷媒配管が前記鋼材に対して当該鋼材の長手方向に直交する方向に振れることを規制するための振止支持部材を有し、
前記冷媒配管を、前記鋼材に対して当該鋼材の長手方向に直交する方向に移動することを規制するように、かつ、前記鋼材に対して当該鋼材の長手方向に沿って移動可能となるように、前記振止支持部材を介して、前記鋼材に取り付けた、
請求項１から５のいずれか一項に記載の冷媒配管ユニット。
【請求項７】
前記鋼材は鋼管である、
請求項１から６のいずれか一項に記載の冷媒配管ユニット。
【請求項８】
建物の複数階に渡る長さの複数の冷媒配管をユニット化した状態で搬送して当該建物に配置する冷媒配管施工方法であって、
前記複数の冷媒配管をユニット化して構成された冷媒配管ユニットを準備する準備工程であって、前記冷媒配管ユニットは、前記建物の複数階に渡る長さの鋼材を有し、且つ、当該冷媒配管ユニットを水平状態から鉛直状態に吊り上げる際の曲げ応力に耐える強度を有する、棒状又は管状の鋼材を一対並設し、前記一対の鋼材を、これら各鋼材の長手方向に直交する方向に沿って配置された支持部材を介して、相互に連結し、前記複数の冷媒配管の各々を、前記鋼材の長手方向に平行な方向に沿って配置し、前記複数の冷媒配管を前記支持部材を介して前記鋼材に連結し、前記鋼材及び前記冷媒配管を、前記建物の床部に貫通状に設けた配管設置用開口部に挿通した状態で当該床部に埋設固定するためのものであって、前記建物の階層方向に沿って配置されたスリーブを有する床貫通部材を設け、前記鋼材及び前記冷媒配管を、前記床貫通部材の前記スリーブに挿通させて構成された、準備工程と、
前記準備工程で準備した前記冷媒配管ユニットを、前記支持部材を介してクレーンで吊り上げて搬送し、前記配管設置用開口部に挿通された状態で前記建物に設置することにより、前記鋼材の長手方向が鉛直方向に沿った方向となる状態で前記建物の所定位置に配置する配置工程と、
前記配置工程において前記建物の所定位置に配置した前記冷媒配管ユニットの所定部分を埋設するように、前記建物にコンクリートを打設することにより、前記建物に床部を形成する形成工程と、
前記配置工程又は前記形成工程の後、前記支持部材を介して行われている前記複数の冷媒配管と前記鋼材との連結の少なくとも一部を解除することにより、前記複数の冷媒配管を前記鋼材の長手方向に沿って移動可能とし、前記複数の冷媒配管の鉛直方向における位置を調整する調整工程と、
前記調整工程の後、前記複数の冷媒配管の各々に、空調設備に直接的又は間接的に接続された他の冷媒配管を接続する接続工程と、
を含む冷媒配管施工方法。
【発明の詳細な説明】
【技術分野】
【０００１】
本発明は、冷媒配管ユニット及び冷媒配管施工方法に関する。
【背景技術】
【０００２】
高層建物における配管施工の効率化工法として、ライザーユニット工法（竪管ユニット工法）が知られている。このライザーユニット工法とは、工場にて加工された複数の配管を集約してユニット化し、このユニット化された配管を、建物の施工現場にトラックにて搬送した上で、クレーンで吊り上げ、躯体工事中の建物の内部に吊り降ろして据え付ける工法である。このライザーユニット工法によれば、特に、中高層建物において複数階に渡る長さの配管であっても、複数を一括して据え付けることができるので、施工効率を向上させることが可能になる。ライザーユニット工法（竪管ユニット工法）が採用される配管の種類は、冷温水配管、冷却水配管、給水配管、排水配管などである。しかしながら、高層建物における冷温熱搬送は、嘗ては冷温水配管方式が主流であったが、近年は冷媒配管方式も多用されるようになってきている。冷媒配管としては銅管が使用されることが多く、この銅管はＳＧＰ配管（一般配管用鋼管）等の鋼管に比べて強度が比較的弱いため、トラックから立て起こす際等に加わる荷重によって損傷等する可能性があった。
【０００３】
このような点に鑑みて、従来、鉄骨等を用いて立体的なフレームを構成し、この立体的なフレームの中に複数の配管を固定することでユニットを構成し、このユニットをクレーンで吊り上げて建物に据え付ける方法が提案されていた（例えば、特許文献１参照）。しかしながら、このようなフレームを用いた場合には、ユニットの製作に時間とコストを要することとなり好ましくない。
【０００４】
そこで、大型ビルで用いられる太径の配管類にはかなりの曲げ強度があることに着目して、配管を連結しただけで配管ユニットを構成する方式が提案された（例えば、特許文献２参照）。しかしながら、従来の大型ビルや高層ビルの空調は冷温水配管方式が主流であったので、太径の配管類を使用して配管ユニットを構成することができたが、近年は冷媒配管方式が多用されるようになっており、冷媒配管は通常は銅管で管径も細いため、この冷媒配管に曲げ強度を負担させることは難しく、配管類を使用して配管ユニットを構成することができなくなっていた。
【０００５】
そこで、冷媒配管用の配管ユニットとして、支柱を設け、その周囲に冷媒配管を支持する方法が提案された（例えば、特許文献３参照）。
【０００６】
その他にも、冷媒配管をユニット化する方法として、ラックに冷媒配管を保持させる方法も提案されていた（例えば、特許文献４参照）。
【先行技術文献】
【特許文献】
【０００７】
【特許文献１】特開平７−６２８７４号公報
【特許文献２】特開平１０−８８８０７号公報
【特許文献３】特開２００９−３０４３４号公報
【特許文献４】特開２０１１−１４５０４９号公報
【発明の概要】
【発明が解決しようとする課題】
【０００８】
しかしながら、特許文献３に記載の如き方法では、冷媒配管を複数階の長さにユニット化して運搬・揚重できるものの、支柱を中心として放射状に冷媒配管を配置して配管ユニットを構成するため、工場製作に手間がかかることに加えて、支持できる冷媒配管の本数に制約があり、かつ建設現場での施工性が悪いという問題点があった。また、配管ユニットの平面形状が方形状になり、平面計画において通常長方形に形成されるパイプシャフトの形状に適さないという問題点があった。
【０００９】
また、特許文献４に記載の如き方法では、ラックを製作するために多数の部材を組み合わせる必要があり、ラックの製作にコストがかかる。また、１階分の長さに適用する場合であれば、ラック本体の曲げ強度により冷媒配管を支持可能であろうが、複数階の長さに適用するためには、ラック本体の曲げ強度が不足し、両サイドに補強材が必要となって一層コストが高くなるという問題があると考えられる。さらに、この補強材を仮設する場合には、補強材の取り付けや取り外しを行う必要があり、ラックの取り付け作業に一層の手間を要する。あるいは、この補強材を本設する場合には、補強材の分だけラックを製作するためのコストが一層高くなると共に、補強材の分だけラック全体が大きくなるために建屋内のスペースを圧迫するという問題があった。
【００１０】
本発明は、上記に鑑みてなされたものであって、製作の手間やコストが低く、かつ、建設現場における施工性が優れた、冷媒配管ユニット及び冷媒配管施工方法を提供することを目的とする。
【課題を解決するための手段】
【００１１】
上述した課題を解決し、目的を達成するために、請求項１に記載の冷媒配管ユニットは、設置対象となる建物の複数階に渡る長さの複数の冷媒配管をユニット化して構成された冷媒配管ユニットであって、当該冷媒配管ユニットは、前記建物の床部に貫通状に設けた配管設置用開口部に挿通された状態で、前記建物に設置されるものであり、前記建物の複数階に渡る長さを有し、且つ、当該冷媒配管ユニットを水平状態から鉛直状態に吊り上げる際の曲げ応力に耐える強度を有する、棒状又は管状の鋼材を一対並設し、前記一対の鋼材を、これら各鋼材の長手方向に直交する方向に沿って配置された支持部材を介して、相互に連結し、前記複数の冷媒配管の各々を、前記鋼材の長手方向に平行な方向に沿った向きで配置すると共に、前記複数の冷媒配管を、前記一対の鋼材の並設方向に沿って並設し、前記複数の冷媒配管を、前記支持部材を介して、前記鋼材に連結し、前記鋼材及び前記冷媒配管を、前記配管設置用開口部に挿通した状態で当該床部に埋設固定するためのものであって、前記建物の階層方向に沿って配置されたスリーブを有する床貫通部材を設け、前記鋼材及び前記冷媒配管を、前記床貫通部材の前記スリーブに挿通させた、冷媒配管ユニット。
【００１２】
請求項２に記載の冷媒配管ユニットは、請求項１に記載の冷媒配管ユニットにおいて、前記冷媒配管を、前記複数列並設したことを特徴とする。
【００１３】
請求項３に記載の冷媒配管ユニットは、請求項１又は２に記載の冷媒配管ユニットにおいて、前記床貫通部材には、当該冷媒配管ユニットを前記建物の構造部材に取り付けるための取付部材を設け、前記取付部材を、前記配管設置用開口部における特定方向の幅より長く形成すると共に、前記配管設置用開口部における特定方向の幅よりも側方に突出しない位置と、前記配管設置用開口部における特定方向の幅よりも側方に突出する位置とに、回転可能とした。
【００１４】
請求項４に記載の冷媒配管ユニットは、請求項１から３のいずれか一項に記載の冷媒配管ユニットにおいて、前記床貫通部材には、当該冷媒配管ユニットを吊り上げるための吊上部材を設けた。
【００１５】
請求項５に記載の冷媒配管ユニットは、請求項１から４のいずれか一項に記載の冷媒配管ユニットにおいて、前記支持部材は、前記冷媒配管が前記鋼材に対して移動することを規制するための固定支持部材を有し、前記冷媒配管を、前記固定支持部材を介して、前記鋼材に取り外し可能に固定した。
【００１６】
請求項６に記載の冷媒配管ユニットは、請求項１から５のいずれか一項に記載の冷媒配管ユニットにおいて、前記支持部材は、前記冷媒配管が前記鋼材に対して当該鋼材の長手方向に直交する方向に振れることを規制するための振止支持部材を有し、前記冷媒配管を、前記鋼材に対して当該鋼材の長手方向に直交する方向に移動することを規制するように、かつ、前記鋼材に対して当該鋼材の長手方向に沿って移動可能となるように、前記振止支持部材を介して、前記鋼材に取り付けた。
【００１７】
請求項７に記載の冷媒配管ユニットは、請求項１から６のいずれか一項に記載の冷媒配管ユニットにおいて、前記鋼材は鋼管である。
【００１８】
請求項８に記載の冷媒配管施工方法は、建物の複数階に渡る長さの複数の冷媒配管をユニット化した状態で搬送して当該建物に配置する冷媒配管施工方法であって、前記複数の冷媒配管をユニット化して構成された冷媒配管ユニットを準備する準備工程であって、前記冷媒配管ユニットは、前記建物の複数階に渡る長さの鋼材を有し、且つ、当該冷媒配管ユニットを水平状態から鉛直状態に吊り上げる際の曲げ応力に耐える強度を有する、棒状又は管状の鋼材を一対並設し、前記一対の鋼材を、これら各鋼材の長手方向に直交する方向に沿って配置された支持部材を介して、相互に連結し、前記複数の冷媒配管の各々を、前記鋼材の長手方向に平行な方向に沿って配置し、前記複数の冷媒配管を前記支持部材を介して前記鋼材に連結し、前記鋼材及び前記冷媒配管を、前記建物の床部に貫通状に設けた配管設置用開口部に挿通した状態で当該床部に埋設固定するためのものであって、前記建物の階層方向に沿って配置されたスリーブを有する床貫通部材を設け、前記鋼材及び前記冷媒配管を、前記床貫通部材の前記スリーブに挿通させて構成された、準備工程と、前記準備工程で準備した前記冷媒配管ユニットを、前記支持部材を介してクレーンで吊り上げて搬送し、前記配管設置用開口部に挿通された状態で前記建物に設置することにより、前記鋼材の長手方向が鉛直方向に沿った方向となる状態で前記建物の所定位置に配置する配置工程と、前記配置工程において前記建物の所定位置に配置した前記冷媒配管ユニットの所定部分を埋設するように、前記建物にコンクリートを打設することにより、前記建物に床部を形成する形成工程と、前記配置工程又は前記形成工程の後、前記支持部材を介して行われている前記複数の冷媒配管と前記鋼材との連結の少なくとも一部を解除することにより、前記複数の冷媒配管を前記鋼材の長手方向に沿って移動可能とし、前記複数の冷媒配管の鉛直方向における位置を調整する調整工程と、前記調整工程の後、前記複数の冷媒配管の各々に、空調設備に直接的又は間接的に接続された他の冷媒配管を接続する接続工程と、を含む。
【発明の効果】
【００２０】
請求項１に記載の冷媒配管ユニットによれば、棒状又は管状の一対の鋼材を支持部材として用いて、複数の冷媒配管を水平状態から鉛直状態に吊り上げることができるので、特別な材料や特別な構造を用いることなく、冷媒配管ユニットを製造する手間やコストを低減することができる。
また、複数の冷媒配管を一対の鋼材の並設方向に沿って並設しているので、冷媒配管ユニットが全体として横長状になるために、建屋の配管設置用開口部の一般的な形状と適合する。また、各冷媒配管から特定の方向への横引きや分岐が容易になる。これらのことから、建設現場における施工性を向上させることができる。
また、鋼材及び冷媒配管を、床貫通部材のスリーブに挿通させることで、建物の床部に貫通状に配置することができるため、床貫通構造を容易に形成することができる。
【００２１】
請求項２に記載の冷媒配管ユニットによれば、冷媒配管を複数列並設したので、冷媒配管配置上のスペース効率を向上させることができ、同一のスペースに対して従来よりも多くの冷媒配管を設置することができる。
【００２２】
請求項３に記載の冷媒配管ユニットによれば、冷媒配管ユニットを配管設置用開口部に挿通させる場合には、取付部材を配管設置用開口部における特定方向の幅よりも側方に突出しない位置に回転させ、冷媒配管ユニットを配管設置用開口部に固定する場合には、取付部材を配管設置用開口部における特定方向の幅よりも側方に突出する位置に回転させることで、冷媒配管ユニットの挿通や固定を容易に行うことができる。
【００２３】
請求項４に記載の冷媒配管ユニットによれば、床貫通部材には、当該冷媒配管ユニットを吊り上げるための吊上部材を設けたので、吊上部材を介して冷媒配管ユニットの吊り上げを行うことが可能になる。特に、鋼材の端部以外の位置に配置された床貫通部材に吊上部材を設けたので、冷媒配管ユニットを端部以外の位置で吊り上げることができ、端部で吊り上げる場合に比べて、鋼材や冷媒配管に加わる最大曲げ応力や最大曲げモーメントを小さくでき、鋼材必要強度を小さくできて、細径や薄肉の鋼材を利用できるため、冷媒配管ユニットの製造コストを低減できる。
【００２４】
請求項５に記載の冷媒配管ユニットによれば、冷媒配管を固定支持部材を介して鋼材に取り外し可能に固定したので、固定状態においては、冷媒配管を鋼材で支持して一体に搬送等することができ、取り外し状態においては、冷媒配管を鋼材長手方向に沿って位置調整することができ、冷媒配管の設置を容易に行うことができる。
【００２５】
請求項６に記載の冷媒配管ユニットによれば、冷媒配管を、鋼材長手方向に直交する方向に移動することを規制するように、かつ、鋼材長手方向に沿って移動可能となるように、振止支持部材を介して鋼材に取り付けたので、冷媒配管を鋼材長手方向に沿って位置調整することを可能としつつ、冷媒配管が鋼材長手方向に直交する方向に振動等することを規制できるので、冷媒配管の設置や安定化を容易に行うことができる。
【００２６】
請求項７に記載の冷媒配管ユニットによれば、鋼材は鋼管であるため、鋼管を、冷媒配管を支持する構造支持材として使用すると共に、各種の配管として利用することができ、冷媒配管を支持する機能のみを有する専用構造支持材としての鋼材を設ける必要がなくなるため、冷媒配管ユニットを製造する手間やコストを一層低減することができる。
【００２７】
請求項８に記載の冷媒配管施工方法によれば、棒状又は管状の一対の鋼材を支持部材として用いて、複数の冷媒配管を水平状態から鉛直状態に吊り上げることができるので、特別な材料や特別な構造を用いることなく、冷媒配管ユニットを製造する手間やコストを低減することができる。
また、複数の冷媒配管を一対の鋼材の並設方向に沿って並設しているので、冷媒配管ユニットが全体として横長状になるために、建屋の配管設置用開口部の一般的な形状と適合する。また、各冷媒配管から特定の方向への横引きや分岐が容易になる。これらのことから、建設現場における施工性を向上させることができる。
また、支持部材を介して行われている複数の冷媒配管と鋼材との連結の少なくとも一部を解除することにより、冷媒配管を鋼材長手方向に沿って位置調整することができ、冷媒配管の設置を容易に行うことができる。
また、鋼材及び冷媒配管を、床貫通部材のスリーブに挿通させることで、建物の床部に貫通状に配置することができるため、床貫通構造を容易に形成することができる。
【図面の簡単な説明】
【００２９】
【図１】本発明の実施の形態に係る冷媒配管ユニットの正面図である。
【図２】図１の冷媒配管ユニットの平面図である。
【図３】固定支持部材の周辺の拡大斜視図である。
【図４】固定支持部材への取付方法の各工程を示す拡大斜視図である。
【図５】図４に続く、固定支持部材への取付方法の各工程を示す拡大斜視図である。
【図６】図５に続く、固定支持部材への取付方法の各工程を示す拡大斜視図である。
【図７】図６に続く、固定支持部材への取付方法の各工程を示す拡大斜視図である。
【図８】図７に続く、固定支持部材への取付方法の各工程を示す拡大斜視図である。
【図９】振止支持部材の周辺の拡大斜視図である。
【図１０】コンクリート埋設前の床貫通部材の周辺の拡大斜視図である。
【図１１】コンクリート埋設後の床貫通部材の周辺の拡大斜視図である。
【図１２】配管設置用開口部に挿通した状態の冷媒配管ユニットの正面図である。
【図１３】冷媒配管ユニットの吊り上げ作業の状態を示す側面図である。
【図１４】図１３に続く、冷媒配管ユニットの吊り上げ作業の状態を示す側面図である。
【図１５】最大曲げモーメントの計算例を示す図であり、図１５（ａ）は端部吊り上げ方式の最大曲げモーメントの計算例を示す図、図１５（ｂ）は非端部吊り上げ方式の最大曲げモーメントの計算例を示す図である。
【図１６】調整工程の概念を示す図であり、図１６（ａ）は上方冷媒配管ユニットの位置調整前の状態を側面方向から示す図、図１６（ｂ）は上方冷媒配管ユニットの位置調整後の状態を側面方向から示す図である。
【図１７】変形例に係る冷媒配管ユニットの平面図である。
【図１８】他の変形例に係る冷媒配管ユニットの平面図である。
【発明を実施するための形態】
【００３０】
以下に添付図面を参照して、この発明に係る冷媒配管ユニットの実施の形態を詳細に説明する。ただし、実施の形態によって本発明が限定されるものではない。
【００３１】
（構成）
最初に、冷媒配管ユニットの構成について説明する。この冷媒配管ユニットは、設置対象となる建物の複数階に渡る長さの複数の冷媒配管をユニット化して構成された冷媒配管ユニットであり、建物の床部に貫通状に設けた配管設置用の開口部(以下、配管設置用開口部）に挿通された状態で、建物に設置されるものである。
【００３２】
ここで、冷媒配管ユニットの設置対象となる建物は、複数階構造を有する建物である限りにおいて、その種類や構造は任意であり、例えば、中高層のオフィスビル、商業施設、病院、及び学校が該当する。複数の冷媒配管は、建物に設置される空調設備の一部として機能するものであり、例えば、パッケージ型空調設備の屋外機と屋内機との相互間において冷媒を循環させるための配管が該当する。
【００３３】
図１は、冷媒配管ユニットの正面図、図２は、冷媒配管ユニットの平面図である（ただし、図２においては、後述する床貫通部材３０等を省略）。これら図１、２に示すように、冷媒配管ユニット１は、一対の鋼管２、複数の冷媒配管３、複数の固定支持部材１０、複数の振止支持部材２０、及び複数の床貫通部材３０を備えて構成されている。
【００３４】
（構成−鋼管）
一対の鋼管２の各々は、冷媒配管ユニット１を水平状態から鉛直状態に吊り上げる際に冷媒配管３を支持する支持手段として機能する。支持手段として機能するため、各鋼管２は、冷媒配管ユニット１を水平状態から鉛直状態に吊り上げる際の曲げ応力に耐える強度を有する鋼管として構成される（この強度の詳細については、後述の冷媒配管ユニット１の吊り上げ方法において説明する）。また、本実施の形態においては、鋼管２の各々は、さらに、建物の内部において流体（例えば、給水、排水、冷温水、冷却水）の搬送を行う搬送手段やケーブル類（例えば、電気ケーブル、通信ケーブル）の敷設を行う敷設手段として利用可能である。搬送手段として利用する場合、各鋼管２は、搬送対象となる流体の種類や圧力に応じた強度や耐腐食性を有する鋼管として構成される。また、これら支持手段、搬送手段、あるいは敷設手段として利用可能となるように、各鋼管２は、流体の搬送やケーブル類の敷設に必要な長さであって、支持対象となる冷媒配管３に対応する長さで形成されており、具体的には、建物１００の複数階（本実施の形態では３階）に渡る長さで形成されている。「支持対象となる冷媒配管３に対応する長さ」とは、冷媒配管３と同一の長さの他、冷媒配管３の支持に支障がない範囲内において当該冷媒配管３より短い長さや、冷媒配管３より長い長さを含む。
【００３５】
このような両機能を満たす鋼管２の具体的な種類は任意であるが、例えば、ＳＧＰ管（一般配管用鋼管）、ＳＴＰＧ管（圧力配管用鋼管）、あるいはＳＴＢ管（ボイラ・熱交換用炭素鋼鋼管）が該当する。特に、鋼管２としては、冷媒配管ユニット１のために特別に製造されたものではなく、流体の搬送やケーブル類の敷設を行うための既製の鋼管を使用することができる。また、鋼管２の筒断面形状は任意であり、円形の他、矩形であってもよい。なお、これら一対の鋼管２としては、相互に異なる種類や長さの鋼管を使用することもできるが、本実施の形態では、相互に同一の種類及び長さの鋼管を使用した場合について説明する。
【００３６】
これら一対の鋼管２は、相互に間隔を隔てた状態で並設されている。この並設間隔は、冷媒配管３の配置数や配置間隔に応じて決定される。このように並設された一対の鋼管２は、これら各鋼管２の長手方向に直交する方向に沿って配置された支持部材（本実施の形態においては、複数の固定支持部材１０及び複数の振止支持部材２０）を介して、相互に連結されている。また、これら一対の鋼管２は、複数の床貫通部材３０に挿通されている。なお、以下の説明では、鋼管２の長手方向に沿った方向（図１のＺ方向）を「鋼管長手方向」、鋼管２の並設方向に沿った方向（図１、２のＹ方向）を「鋼管並設方向」、これら鋼管２長手方向及び鋼管並設方向に直交する方向（図２のＸ方向）を「奥行方向」、鋼管２の並設間隔（図１の間隔Ｌ１）を「鋼管並設間隔」と称する。
【００３７】
（構成−冷媒配管）
複数の冷媒配管３は、建物１００の内部において空調用の冷媒の搬送を行う搬送手段として機能するものであり、例えば、銅管として構成されており、その外面のほぼ全面が保温材で覆われている。この搬送手段として利用可能となるように、各冷媒配管３は、冷媒の搬送に必要な長さで形成されており、具体的には、建物１００の複数階（本実施の形態では３階）に渡る長さで形成されている。また、冷媒配管３の筒断面形状は任意であり、円形の他、矩形であってもよい。これら複数の冷媒配管３としては、相互に異なる種類や長さの配管を使用することもできるが、本実施の形態では、相互に同一の種類の配管であって、各列毎に同一の長さの配管を使用した場合について説明する。
【００３８】
これら複数の冷媒配管３の各々は、鋼管２の長手方向に平行な方向に沿って配置されており、また、複数の冷媒配管３は、鋼管並設方向に沿って並設されている。この状態において、各冷媒配管３は、複数の固定支持部材１０及び複数の振止支持部材２０を介して、一対の鋼管２に直接的（他の部材を介することなく）又は間接的（他の部材を介して）に連結されている。より具体的には、本実施の形態においては、これら複数の冷媒配管３は、図２に示すように、複数列（本実施の形態では２列）に並設されている。すなわち、一対の鋼管２の相互間に複数の冷媒配管３が並設されていると共に（以下、これら複数の冷媒配管３によって形成される列を第１列と称する）、一対の鋼管２の相互間よりも外側に、第１列の冷媒配管３の並設方向に沿った向きで、他の複数の冷媒配管３が並設されている（以下、これら複数の冷媒配管３によって形成される列を第２列と称する）。このように複数列で冷媒配管３を配置することにより、多数の冷媒配管３を比較的狭いスペースの内部に配置することができ、冷媒配管３の配置効率を高めることが可能になる。
【００３９】
（構成−固定支持部材）
複数の固定支持部材１０は、一対の鋼管２を相互に連結するための支持部材の一つであり、冷媒配管３が鋼管２に対して移動することを規制する移動規制手段である。図３は、固定支持部材１０の周辺の拡大斜視図である。各固定支持部材１０は、鋼管並設間隔にほぼ対応する長さの鋼材（例えば、Ｈ型鋼材。以下同じ）であり、鋼管並設方向に沿って配置されている。
【００４０】
各鋼管２と各固定支持部材１０とは、固定ブラケット１１を介して相互に連結されている。固定ブラケット１１は、固定支持部材１０から鋼管２の外周外側を経て固定支持部材１０に戻る平面Ｕ字状に形成されており、その両端部は固定支持部材１０に対してボルトにて固定されている。この状態において、各鋼管２は、固定ブラケット１１を介して固定支持部材１０に圧接され固定されている。
【００４１】
また、各固定支持部材１０と各冷媒配管３は、パイプサポート１２、固定バンド１３、及び固定ブラケット１４を介して相互に連結されている。図４〜８は、固定支持部材１０への取付方法の各工程を示す拡大斜視図である。
【００４２】
図４、５に示すように、パイプサポート１２は、各冷媒配管３の外形状に対応する中空短筒状のパイプサポート本体１２ａと、接続板１２ｂを備えて構成されている。パイプサポート本体１２ａは、当該パイプサポート本体１２ａの軸心を通る断面であって当該軸心に沿った断面によって２分割されており、これら２分割されたパイプサポート本体１２ａが接続板１２ｂを介して開閉自在に接続されている。そして、パイプサポート本体１２ａを、開いた状態で冷媒配管３の外周に押し当ててから閉じることで、パイプサポート１２を冷媒配管３に装着することができる。次いで、パイプサポート１２と冷媒配管３との相互間に硬ロウを注入することで、パイプサポート１２を冷媒配管３にロウ付けすることができる。
【００４３】
図６に示すように、固定バンド１３は、パイプサポート１２の外形状に対応する中空短筒状の固定バンド本体１３ａと、固定ステー１３ｂと、接続板１３ｃを備えて構成されている。固定バンド本体１３ａは、当該固定バンド本体１３ａの軸心を通る断面であって当該軸心に沿った断面によって２分割されており、これら２分割された固定バンド本体１３ａが接続板１３ｃを介して開閉自在に接続されている。そして、固定バンド本体１３ａを、開いた状態でパイプサポート１２の外周に押し当ててから閉じることで、固定バンド本体１３ａをパイプサポート１２に装着することができる。固定ステー１３ｂは、２分割された固定バンド本体１３ａの各々の開口側の縁部に一体に設けられた板材であり、固定バンド本体１３ａを閉じることによってこれら固定ステー１３ｂが相互に近接する位置において並設される。
【００４４】
図７に示すように、固定ブラケット１４は、固定ブラケット本体１４ａと、固定ステー１４ｂを備えて構成されている。固定ブラケット本体１４ａは、固定支持部材１０に対応する高さの側面コ字状の部材であり、固定支持部材１０に対してボルト等にて固定される。固定ステー１４ｂは、固定ブラケット本体１４ａに一体に設けられた板材であり、固定バンド１３の固定ステー１３ｂに対応する形状を有し、相互に並設された固定ステー１３ｂの相互間に挿入される。この挿入状態において、固定バンド１３の固定ステー１３ｂと固定ブラケット１４の固定ブラケット本体１４ａとが、ボルトを介して相互に連結されることで、冷媒配管３が固定支持部材１０に固定される。また、このように連結された後、図８に示すように、固定バンド１３及び固定ブラケット１４を保温材４０にて覆うことで、断熱性を高めている。
【００４５】
このような固定構造によれば、各鋼管２は固定支持部材１０に固定されると共に各冷媒配管３は固定支持部材１０に固定されているため、各冷媒配管３は、各鋼管２に対して、鋼管長手方向、鋼管並設方向、及び奥行方向に移動不能に固定されている。従って、複数の冷媒配管３を、鋼管２により支持させた状態で、鋼管２と共に搬送することが可能となる。ただし、冷媒配管３は、固定支持部材１０を介して、鋼管２に取り外し可能に固定されている。すなわち、固定バンド１３の固定ステー１３ｂと固定ブラケット１４の固定ブラケット本体１４ａとを相互に連結するボルトを緩めて、この連結を解除することで、各冷媒配管３を、各鋼管２に対して、当該各鋼管２の長手方向及び直径方向に移動可能とすることができる。
【００４６】
なお、固定バンド１３や固定ブラケット１４の全体又は一部を熱伝導率が低い材料で形成したり、各部の相互間に腕木や樹脂等の断熱材を挟んだりすることで、冷媒配管３の熱が固定支持部材１０に伝導して当該固定支持部材１０に結露が生じるような事態を、防止することが好ましい（振止支持部材２０や床貫通部材３０に関しても同様）。
【００４７】
（構成−振止支持部材）
図１において、複数の振止支持部材２０は、一対の鋼管２を相互に連結するための支持部材の一つであり、冷媒配管３が鋼管２に対して当該鋼管２の長手方向に直交する方向に振れることを規制するための振止支持手段である。図９は、振止支持部材２０の周辺の拡大斜視図である。各振止支持部材２０は、鋼管並設間隔にほぼ対応する長さの鋼材であり、各鋼管２の長手方向に直交する方向に沿って配置されている。
【００４８】
各鋼管２と各振止支持部材２０とは、固定ブラケット２１を介して相互に連結されている。固定ブラケット２１は、振止支持部材２０から鋼管２の外周外側を経て振止支持部材２０に戻る平面Ｕ字状に形成されており、その両端部は振止支持部材２０に対してボルト等にて固定されている。この状態において、各鋼管２は、固定ブラケット２１を介して振止支持部材２０に圧接され固定されている。
【００４９】
また、各振止支持部材２０と各冷媒配管３は、固定バンド２２を介して相互に連結されている。固定バンド２２は、振止支持部材２０から冷媒配管３及び保温材の外周外側を経て振止支持部材２０に戻る平面Ｕ字状のバンドであり、その両端部は振止支持部材２０に対してボルトにて固定されている。この状態において、各冷媒配管３は、固定ブラケット２１を介して振止支持部材２０に圧接され固定されている。この圧接力を調整可能とするため、十分な調整長さを持ったボルトが使用されている。
【００５０】
このような固定構造によれば、各鋼管２は振止支持部材２０に固定されると共に各冷媒配管３は振止支持部材２０に固定されているため、各冷媒配管３は、各鋼管２に対して鋼管並設方向及び奥行方向に移動することが規制される。また、各冷媒配管３が固定ブラケット２１を介して振止支持部材２０に圧接され固定されている状態において、各冷媒配管３は、各鋼管２に対して鋼管長手方向に沿って移動不能となっているが、固定バンド２２による圧接力を緩めることによって、各冷媒配管３を、鋼管長手方向に直交する方向（すなわち、鋼管並設方向又は奥行方向）に移動することを規制したまま、鋼管長手方向に沿って移動させることができる。なお、固定バンド２２は、保温材の外側から冷媒配管３に接触しているため、冷媒配管３の熱が振止支持部材２０に伝導して当該振止支持部材２０に結露が生じるような事態を、防止することができる。
【００５１】
（構成−床貫通部材）
図１において、複数の床貫通部材３０は、鋼管２及び冷媒配管３を、建物の床部に貫通状に設けた配管設置用開口部に挿通した状態で、当該床部１０１に埋設固定されるものであって、建物の階層方向に沿って配置されたスリーブ（後述する冷媒配管用スリーブ３３及び鋼管用スリーブ３４）を有する床固定支持手段である。図１０は、コンクリート埋設前の床貫通部材３０の周辺の拡大斜視図、図１１は、コンクリート埋設後の床貫通部材３０の周辺の拡大斜視図、図１２は、配管設置用開口部１０２に挿通した状態の冷媒配管ユニット１の正面図である。これら図１０〜１２において、建物１００の床部１０１には、梁１０４を備えて構成され、配管設置用開口部１０２が形成されており、この配管設置用開口部１０２に床貫通部材３０が配置されている。
【００５２】
各床貫通部材３０は、基部３１、固定部３２、複数の冷媒配管用スリーブ３３、一対の鋼管用スリーブ３４、固定バンド３５、３６、一対の取付部材３７、及び吊上部材３８とを備えて構成されている。
【００５３】
基部３１は、配管設置用開口部１０２に埋設される構造体であり、この配管設置用開口部１０２に埋設可能な幅、長さ、及び高さで構成されている。具体的には、基部３１は、４本の鋼材３１ａを平面ロ字状に組み合わせ、この平面ロ字状の開口部分の幅方向中央位置に、さらに１本の鋼材３１ｂを鋼管並設方向に沿った向きで組み合わせた上で、これら各鋼材３１ａ、３１ｂを相互に溶接等にて固定して構成されている。
【００５４】
固定部３２は、床貫通部材３０の各部を固定するための構造体であり、具体的には、基部３１の幅方向中央の各端部から鋼管長手方向に沿って立ち上げられた鋼材３２ａと、これら板状材の上面に架け渡された１本の鋼材３２ｂとを、相互に溶接等にて固定して構成されている。
【００５５】
複数の冷媒配管用スリーブ３３の各々は、鋼管長手方向に沿って配置された中空短筒部材であり、その内部に各冷媒配管３を挿通可能な内径を有するものであって、各冷媒配管３に対応する位置に配置され、固定部３２に固定バンド３５を介して固定されている。一対の固定バンド３５は、固定部３２から鋼管２の外周外側を経て固定部３２に戻る平面Ｕ字状のバンドであり、その両端部は固定部３２に対してボルトにて固定されている。この状態において、各冷媒配管３は、固定バンド３５を介して固定部３２に圧接され固定されている。この冷媒配管用スリーブ３３に冷媒配管３が挿通された状態において、冷媒配管３は、鋼管並設方向又は奥行方向に移動することが規制される一方、鋼管長手方向に沿って移動可能となっている。
【００５６】
一対の鋼管用スリーブ３４の各々は、鋼管長手方向に沿って配置された中空短筒部材であり、その内部に各鋼管２を挿通可能な内径を有するものであって、各鋼管２に対応する位置に配置され、固定部３２に固定バンド３６を介して固定されている。一対の固定バンド３６は、固定部３２から鋼管２の外周外側を経て固定部３２に戻る平面Ｕ字状のバンドであり、その両端部は固定部３２に対してボルトにて固定されている。この状態において、各鋼管２は、固定バンド３６を介して固定部３２に圧接され固定されている。この鋼管用スリーブ３４に鋼管２が挿通された状態において、鋼管２は、鋼管並設方向又は奥行方向に移動することが規制されると共に、鋼管長手方向に沿って移動することも規制される。
【００５７】
一対の取付部材３７は、冷媒配管ユニット１を建物１００の構造部材に取り付けるための取付手段であり、一方の取付部材３７は、基部３１における鋼管並設方向に沿った外面に配置され、他方の取付部材３７は、基部３１における鋼管並設方向に沿った外面であって一方の取付部材３７の取付面とは異なる外面に配置されている。各取付部材３７は、可動部３７ａと掛止部３７ｂとを備える。可動部３７ａは、配管設置用開口部１０２に対応する長さの鋼材（例えば、Ｈ型鋼材）であって、基部３１に対して公知の回転構造によって、鋼管長手方向及び鋼管並設方向に平行な面内において、回転可能とされている。掛止部３７ｂは、可動部３７ａの長手方向の両端部の各々に溶接等にて取り付けられたものであって、可動部３７ａと平行な方向に突出する。このように可動部３７ａに掛止部３７ｂを取り付けることにより、取付部材３７は、全体として、配管設置用開口部１０２における鋼管並設方向の幅（特定方向の幅）より長く形成されている。そして、可動部３７ａを基部３１に対して回転させることで、配管設置用開口部１０２における鋼管並設方向の幅よりも側方に突出しない位置（以下、非突出位置。図１に示す位置）と、配管設置用開口部１０２における鋼管並設方向の幅よりも側方に突出する位置（以下、突出位置。図１２に示す位置）とに、選択的に移動させることができる。
【００５８】
そして、このように可動部３７ａを突出位置に回転させた状態において、可動部３７ａの上面と掛止部３７ｂの下面とが相互に同一高さに位置するように、可動部３７ａに対する掛止部３７ｂの位置が決定されている。また、この状態において、基部３１の上面と可動部３７ａの上面とが同じ高さとなるように、基部３１に対する可動部３７ａの位置が決定されている。このため、可動部３７ａを突出位置に回転させた状態において、掛止部３７ｂを配管設置用開口部１０２の周縁部の上面に掛止させると、掛止部３７ｂのみが配管設置用開口部１０２から上方に突出する一方で、基部３１及び可動部３７ａは、その上面が配管設置用開口部１０２の上面と同一の高さとなる。
【００５９】
吊上部材３８は、冷媒配管ユニット１を吊り上げるための吊上手段である。この吊上部材３８は、固定部３２の長手方向の各端部に対して、上方に突出するように溶接等にて固定された板状の鋼材として構成されている。この吊上部材３８には、ワイヤーを取り付けるための取付孔３８ａが形成されており、この取付孔３８ａに取り付けたワイヤーを介して、クレーンを用いて床貫通部材３０を吊り上げ、これに伴った冷媒配管ユニット１を吊り上げることが可能となっている。
【００６０】
（工程−冷媒配管ユニットの準備工程）
次に、冷媒配管ユニット１を準備してから使用するまでの各工程について説明する。最初に、冷媒配管ユニット１を準備する準備工程（冷媒配管ユニット１の製造工程）について説明する。冷媒配管ユニット１の製造は、製造効率の観点から、工場において行われることが好ましい。具体的には、水平な床面に、建物１００の複数階の床の相互間隔に対応する間隔で、複数の架台を配置する。そして、これら複数の架台の各々に、床貫通部材３０を配置する。この際、床貫通部材３０の一対の取付部材３７の各々は、鋼管長手方向（この時点では床貫通部材３０の並設方向）に沿うように回転させておき、ボルト等にて基部３１に仮固定しておく。
【００６１】
次いで、床貫通部材３０の鋼管用スリーブ３４に鋼管２を挿通させ、この鋼管２を固定バンド３５によって床貫通部材３０の固定部３２に固定する。また、この鋼管２を挿通させる前後いずれか又は同時のタイミングで、冷媒配管用スリーブ３３に第１列の冷媒配管３を挿通させ、この冷媒配管３を固定バンド３５によって床貫通部材３０の固定部３２に固定する。
【００６２】
次いで、鋼管２と第１列の冷媒配管３との相互間に、固定支持部材１０を配置し、この固定支持部材１０に対して、鋼管２と第１列の冷媒配管３とを固定する。その後、鋼管２と第１列の冷媒配管３との相互間に、振止支持部材２０を配置し、この振止支持部材２０に対して、鋼管２と第１列の冷媒配管３とを固定する。
【００６３】
その後、冷媒配管用スリーブ３３に第２列の冷媒配管３を挿通させ、この冷媒配管３を固定バンド３５によって床貫通部材３０の固定部３２に固定する。そして、固定支持部材１０に対して、鋼管２と第２列の冷媒配管３とを固定し、さらに振止支持部材２０に対して、鋼管２と第２列の冷媒配管３とを固定する。
【００６４】
保温材については、冷媒配管３を冷媒配管用スリーブ３３に挿通させる前に、冷媒配管３に予め巻き付けておく。ただし、固定支持部材１０との固定領域においては、固定支持部材１０との固定後に保温材を巻き付ける。
【００６５】
このような工程を経ることで冷媒配管ユニット１を製造した後、この冷媒配管ユニット１を、ビニール等の養生材にて養生し、工場外部への搬出準備が完了する。このように準備された冷媒配管ユニット１を、床貫通部材３０の吊上部材３８を介してクレーンで吊り上げて、トラックの荷台に積載する。具体的には、複数の床貫通部材３０のうち、いずれか２つの床貫通部材３０の吊上部材３８にクレーンのワイヤーを取付け、両方のワイヤーを巻き上げることで冷媒配管ユニット１を水平状態のまま全体的に吊り上げて、トラックの荷台に積載する。このトラックの荷台においては、冷媒配管ユニット１を当該荷台の上面に直接的に積載してもよいが、工場の床面に配置したものと同様の架台をトラックの荷台に配置し、この架台の上に床貫通部材３０が位置するように、冷媒配管ユニット１を当該荷台に積載してもよい。
【００６６】
（工程−冷媒配管ユニットの配置工程）
次に、冷媒配管ユニット１を建物１００に配置する配置工程について説明する。まず、トラックにて建物施工現場に搬送した冷媒配管ユニット１を、吊上部材３８を介してクレーンで吊り上げ、鋼管長手方向が鉛直方向となる状態とし、建物１００の躯体の上方まで搬送する。そして、冷媒配管ユニット１を、クレーンで吊り下げて、鋼管長手方向が鉛直方向となる状態とする。具体的には、図１３に示すように、複数の床貫通部材３０のうち、いずれか２つの床貫通部材３０の吊上部材３８にクレーンのワイヤー２００を取付け、両方のワイヤー２００を巻き上げることで冷媒配管ユニット１を水平状態のまま全体的に吊り上げた後、図１４に示すように、いずれか一方のワイヤー２００のみを多く巻き上げることで、冷媒配管ユニット１を徐々に傾け、さらに当該一方のワイヤー２００のみを巻き上げることで、冷媒配管ユニット１を最終的に鉛直状態とする。
【００６７】
このように冷媒配管ユニット１を吊り上げる際、冷媒配管３が鋼管２に固定されているために、冷媒配管３を鋼管２で支持することができる。すなわち、鋼管２は、冷媒配管ユニット１を水平状態から鉛直状態に吊り上げる際の曲げ応力に耐える強度を有するため、冷媒配管ユニット１が自重で変形等するといった事態を生じさせることなく、冷媒配管ユニット１を吊り上げることが可能になる。ここで、冷媒配管ユニット１を水平状態から鉛直状態に吊り上げる際の曲げ応力は、冷媒配管ユニット１の総数、各冷媒配管ユニット１の重さ、あるいは各冷媒配管ユニット１の長さによって異なり得るため、これに伴い、鋼管２に求められる強度も異なり得る。従って、これら冷媒配管ユニット１の総数等に条件毎に、鋼管２に求められる強度(以下、鋼管必要強度）を公知の方法にて算定し、当該鋼管必要強度を上回る強度を有する鋼管を使用する。
【００６８】
特に、本実施の形態においては、特許文献２や特許文献３のように鋼管２の端部をクレーンで吊り上げるのではなく（以下、端部吊り上げ方式）、鋼管２の端部よりも鋼管長手方向の中央寄りの位置に配置された床貫通部材３０の吊上部材３８をクレーンで吊り上げている（以下、非端部吊り上げ方式）。この非端部吊り上げ方式においては、端部吊り上げ方式に比べて、鋼管２に加わる最大曲げモーメントを小さくでき、鋼管必要強度を小さくできて、細径や薄肉の鋼管２を利用できるため、冷媒配管ユニット１の製造コストを低減できる。例えば、図１５（ａ）に示す端部吊り上げ方式の場合、最大曲げモーメント＝ｗｌ２／８に対して、図１５（ｂ）に示す非端部吊り上げ方式の場合（各端部から、全長の１／４の位置で吊り上げた場合）、最大曲げモーメント＝ｗｌ２／３２となり、最大曲げモーメントが１／４になることが判る（ここで、Ｗは吊り上げ対象部材の単位長さ当たりの重量、ｌは吊り上げ対象部材の全長であり、図１５では長手方向に均一分布荷重と仮定した場合を示す）。
【００６９】
その後、このように鉛直状態に吊り上げた冷媒配管ユニット１を、建物１００の躯体の各階に形成した配管設置用開口部１０２を介して、躯体の内部における所定位置に配置する。この所定位置とは、冷媒配管ユニット１の床貫通部材３０が、各配管設置用開口部１０２に収まる位置である。
【００７０】
ここで、床貫通部材３０の一対の取付部材３７の各々は、上述の製造工程において説明したように、鋼管長手方向に沿うように回転させているため、取付部材３７が、配管設置用開口部１０２における鋼管並設方向の幅よりも側方に突出しない位置に配置されている。従って、取付部材３７が配管設置用開口部１０２の周縁に掛止等することによって、冷媒配管ユニット１を配置する上での障害になることがなく、冷媒配管ユニット１を円滑に配管設置用開口部１０２に挿通させることが可能になる。そして、各床貫通部材３０が各配管設置用開口部１０２のやや上方に位置するように、冷媒配管ユニット１を配置した後、各床貫通部材３０の一対の取付部材３７の各々を、鋼管２に沿うように回転させることにより、取付部材３７を、配管設置用開口部１０２における特定方向の幅よりも側方に突出する位置に移動させる。このことにより、図１０に示すように、取付部材３７を配管設置用開口部１０２の周縁上面に掛止させ、取付部材３７を除く床貫通部材３０を配管設置用開口部１０２の内部に位置させることができる。この状態では、上述したように、掛止部３７ｂのみが配管設置用開口部１０２から上方に突出する一方で、基部３１及び可動部３７ａは、その上面が配管設置用開口部１０２の上面と同一の高さとなる。このように取付部材３７を掛止させることで、冷媒配管ユニット１を建物１００の躯体に対して仮置きすることができると共に、建物１００の躯体に対する冷媒配管ユニット１の位置決めを行うことができる。なお、回転させた取付部材３７は、基部３１に対してボルトで固定しておく。
【００７１】
（工程−床部の形成工程）
その後、建屋の床部１０１を形成する。具体的には、配管設置用開口部１０２の下面に養生を施し、配管設置用開口部１０２の内部にコンクリート１０３を打設して固化させることにより、図１１、１２に示すように、建物１００の床部１０１を形成する。なお、より詳細には、冷媒配管ユニット１を仮置きした段階では、建物１００の床部１０１は、梁１０４にデッキプレート１０５を架け渡すことで作業床が形成されており、配管設置用開口部１０２へのコンクリート１０３の打設と同時に、デッキプレート１０５の上面にもコンクリート１０３を打設することで、床部１０１（床スラブ）を形成する。このことにより、床貫通部材３０を配管設置用開口部１０２の内部にコンクリート１０３にて埋設でき、冷媒配管ユニット１の自重を床貫通部材３０及びコンクリートを介して建物１００の躯体にて支持することができる。これにて冷媒配管ユニット１の設置が完了する。
【００７２】
次いで、上記設置が完了した冷媒配管ユニット１（以下、下方冷媒配管ユニット１Ａ）の上方に配置される他の冷媒配管ユニット１（以下、上方冷媒配管ユニット１Ｂ）が存在する場合には、当該上方冷媒配管ユニット１Ｂについても、下方冷媒配管ユニット１Ａと同様の各工程を行うことで建屋に設置し、当該上方冷媒配管ユニット１Ｂが貫通する床部１０１の形成を行う。
【００７３】
（工程−冷媒配管ユニットの調整工程）
ただし、上方冷媒配管ユニット１Ｂの設置の最終工程として、必要に応じて、上方冷媒配管ユニット１Ｂの鋼管２及び冷媒配管３の高さ調整を行う調整工程を行う。鋼管２の高さ調整は、固定支持部材の固定バンド１３の固定ステー１３ｂと固定ブラケット１４の固定ブラケット本体１４ａとを相互に連結するボルトを緩めて、この連結を解除することで、固定支持部材１０に対する鋼管２の圧接力を弱めて、鋼管２を自重により鋼管長手方向に向けて移動させることにより行う。また、冷媒配管３の高さ調整は、固定支持部材１０に固定ブラケット１４を固定しているボルトを緩めることで、固定支持部材１０に対する冷媒配管３の圧接力を弱めて、冷媒配管３を自重により鋼管長手方向に向けて移動させることにより行う。これら鋼管２及び冷媒配管３の移動を、固定支持部材１０に対する圧接力がある程度残っている状態で行うことにより、鋼管２及び冷媒配管３が下方に急激に落下するような事態を回避することができる。
【００７４】
この調整工程の概念を図１６に示す。図１６（ａ）に示すように、下方冷媒配管ユニット１Ａと上方冷媒配管ユニット１Ｂをそれぞれ配置した後、図１６（ｂ）に示すように、上方冷媒配管ユニット１Ｂの高さ調整を行うことで、上方冷媒配管ユニット１Ｂの鋼管２の下端と冷媒配管３の下端を、それぞれ下方冷媒配管ユニット１Ａの鋼管２の上端と冷媒配管３の上端に付き合わせることができる。このように付き合わせた鋼管同士と冷媒配管同士を、それぞれロウ付け等にて接続することで、上方冷媒配管ユニット１Ｂと下方冷媒配管ユニット１Ａの相互間で、冷媒等を搬送することが可能になる。ただし、鋼管２や冷媒配管３の端部は、フランジ構造により連結してもよい。
【００７５】
なお、固定支持部材１０との固定を緩める際等に、冷媒配管３の保温材を部分的に取り外す必要がある場合には、当該取り外した部分については、高さ調整後に、再び保温材を取り付ける。また、床貫通部材３０の鋼管用スリーブ３４と、この鋼管用スリーブ３４に挿通された鋼管２との相互間の隙間や、床貫通部材３０の冷媒配管用スリーブ３３と、この冷媒配管用スリーブ３３に挿通された冷媒配管３との相互間の隙間は、公知の防火材(例えば、ロックウールやＡパッド）で塞ぐことで、防火処理等を行う。ただし、防火区画上、スリーブ周辺の防火処理が必要ない場合には、防火材を省略してもよい。
【００７６】
以降同様に、複数の冷媒配管ユニット１を、下方から上方に至る順に配置して、それぞれ高さ調整を行って相互に接続することで、建物全体に対する冷媒配管ユニット１の設置が完了する。ただし、複数の冷媒配管ユニット１を仮位置に配置した後で、一括して位置調整を行ってもよい。
【００７７】
（工程−冷媒配管ユニットの接続工程）
その後、冷媒配管ユニット１に他の鋼管や他の冷媒配管を接続する接続工程を行う。具体的には、最下方に設置した冷媒配管ユニット１において、鋼管２に他の鋼管や設備機器を公知の方法で接続すると共に、冷媒配管３に他の冷媒配管や設備機器（例えば、パッケージ型空調設備の屋内機）を公知の方法で接続する。また、最上方に設置した冷媒配管ユニット１において、鋼管２に他の鋼管や設備機器を公知の方法で接続すると共に、冷媒配管３に他の冷媒配管や設備機器（例えば、パッケージ型空調設備の屋外機）を公知の方法で接続する。
【００７８】
図２は、最上方に設置した冷媒配管ユニット１の冷媒配管３に対して接続された他の冷媒配管と鋼管２を想像線で示している。この図２に示すように、冷媒配管３を鋼管並設方向に沿って配置しているので、鋼管並設方向に対して直交する奥行方向に沿って、他の冷媒配管を容易に横引きや分岐することが可能である。
【００７９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８０】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、製造の手間やコストを従来に比べて低くできない場合であっても、建設現場における施工性を向上できている場合には、本発明の課題が達成されている。
【００８１】
（鋼材について）
上記実施の形態では、一対の鋼管２を使用した場合について説明したが、鋼管２に限らず、棒状又は管状の鋼材である限りにおいて任意の鋼材を使用することができ、Ｈ型鋼や溝形鋼等の鋼材を使用してもよい。また、３本以上の鋼材を使用してもよい。
【００８２】
（冷媒配管について）
上記実施の形態では、複数の冷媒配管３のみを使用した場合について説明したが、複数の冷媒配管３に加えて、他の目的や機能を有する１本以上の配管（例えば、給水管、排水管、電気用配管、通信用配管等）を、冷媒配管３と同様に鋼管２によって支持させてもよい。つまり、冷媒配管ユニット１は、少なくとも（複数の）冷媒配管３を備えるものであればよい。
【００８３】
上記実施の形態では、複数の冷媒配管３を第１例と第２列との合計２列で配置した場合について説明したが、１列のみを配置したり、３列以上を配置したりしてもよい。また、上記実施の形態では、図２の平面図に概念的に示すように、第１例の冷媒配管３を一対の鋼管２の相互間に並設した場合について説明したが、図１７の平面図に示すように、一対の鋼管２の相互間以外の位置に並設するようにしてもよい。また、上記実施の形態では、第１例の冷媒配管３と第２列の冷媒配管３とを、奥行方向に沿って相互に対応する位置に配置した場合について説明したが、図１８の平面図に示すように、奥行方向に沿って対応しない位置に配置して、千鳥状の配列としてもよく、この場合には、同一方向への横引きが一層容易になる。
【００８４】
（振止支持部材について）
振止支持部材２０の構造は、冷媒配管３を、鋼管２の長手方向に直交する方向に移動することを規制するように、かつ、鋼管長手方向に沿って移動可能となるように支持できる限りにおいて、任意に変更することができる。また、冷媒配管３を鋼管長手方向に沿って位置調整する必要がない場合には、固定支持部材１０によって振止を行うことができるため、振止支持部材２０を省略してもよい。
【００８５】
（固定支持部材について）
固定支持部材１０の構造は、冷媒配管３を鋼管２に対して移動することを規制できる限りにおいて、任意に変更することができる。また、冷媒配管３を鋼管長手方向に沿って位置調整する必要がない場合には、冷媒配管３を、固定支持部材１０を介して、鋼管２に取り外し不能に固定してもよい。
【００８６】
（床貫通部材について）
床貫通部材３０の構造は、鋼管２及び冷媒配管３を床部１０１に貫通状に設置できる限りにおいて、任意に変更することができる。例えば、取付部材３７や掛止部３７ｂを省略し、床貫通部材３０の床部１０１に対する仮置き等を、他の公知の方法で代替してもよい。また、冷媒配管３を鋼管長手方向に沿って位置調整する必要がない場合には、冷媒配管用スリーブ３３を省略し、冷媒配管３をコンクリート１０３に直接的に埋設するようにしてもよい。
（付記）
付記１の冷媒配管ユニットは、設置対象となる建物の複数階に渡る長さの複数の冷媒配管をユニット化して構成された冷媒配管ユニットであって、前記建物の複数階に渡る長さを有し、且つ、当該冷媒配管ユニットを水平状態から鉛直状態に吊り上げる際の曲げ応力に耐える強度を有する、棒状又は管状の鋼材を一対並設し、前記一対の鋼材を、これら各鋼材の長手方向に直交する方向に沿って配置された支持部材を介して、相互に連結し、前記複数の冷媒配管の各々を、前記鋼材の長手方向に平行な方向に沿った向きで配置すると共に、前記複数の冷媒配管を、前記一対の鋼材の並設方向に沿って並設し、前記複数の冷媒配管を、前記支持部材を介して、前記鋼材に連結したことを特徴とする。
付記２の冷媒配管ユニットは、付記１に記載の冷媒配管ユニットにおいて、前記冷媒配管を、前記複数列並設したことを特徴とする。
付記３の冷媒配管ユニットは、付記１又は２に記載の冷媒配管ユニットにおいて、当該冷媒配管ユニットは、前記建物の床部に貫通状に設けた配管設置用開口部に挿通された状態で、前記建物に設置されるものであり、前記鋼材及び前記冷媒配管を、前記建物の床部に貫通状に設けた配管設置用開口部に挿通した状態で当該床部に埋設固定するためのものであって、前記建物の階層方向に沿って配置されたスリーブを有する床貫通部材を設け、前記鋼材及び前記冷媒配管を、前記床貫通部材の前記スリーブに挿通させたことを特徴とする。
付記４の冷媒配管ユニットは、付記３に記載の冷媒配管ユニットにおいて、前記床貫通部材には、当該冷媒配管ユニットを前記建物の構造部材に取り付けるための取付部材を設け、前記取付部材を、前記配管設置用開口部における特定方向の幅より長く形成すると共に、前記配管設置用開口部における特定方向の幅よりも側方に突出しない位置と、前記配管設置用開口部における特定方向の幅よりも側方に突出する位置とに、回転可能としたことを特徴とする。
付記５の冷媒配管ユニットは、付記３又は４に記載の冷媒配管ユニットにおいて、前記床貫通部材には、当該冷媒配管ユニットを吊り上げるための吊上部材を設けたことを特徴とする。
付記６の冷媒配管ユニットは、付記１から５のいずれか一項に記載の冷媒配管ユニットにおいて、前記支持部材は、前記冷媒配管が前記鋼材に対して移動することを規制するための固定支持部材を有し、前記冷媒配管を、前記固定支持部材を介して、前記鋼材に取り外し可能に固定したことを特徴とする。
付記７の冷媒配管ユニットは、付記１から６のいずれか一項に記載の冷媒配管ユニットにおいて、前記支持部材は、前記冷媒配管が前記鋼材に対して当該鋼材の長手方向に直交する方向に振れることを規制するための振止支持部材を有し、前記冷媒配管を、前記鋼材に対して当該鋼材の長手方向に直交する方向に移動することを規制するように、かつ、前記鋼材に対して当該鋼材の長手方向に沿って移動可能となるように、前記振止支持部材を介して、前記鋼材に取り付けたことを特徴とする。
付記８の冷媒配管ユニットは、付記１から７のいずれか一項に記載の冷媒配管ユニットにおいて、前記鋼材は鋼管であることを特徴とする。
付記９の冷媒配管施工方法は、建物の複数階に渡る長さの複数の冷媒配管をユニット化した状態で搬送して当該建物に配置する冷媒配管施工方法であって、前記複数の冷媒配管をユニット化して構成された冷媒配管ユニットを準備する準備工程であって、前記冷媒配管ユニットは、前記建物の複数階に渡る長さを有し、且つ、当該冷媒配管ユニットを水平状態から鉛直状態に吊り上げる際の曲げ応力に耐える強度を有する、棒状又は管状の鋼材を一対並設し、前記一対の鋼材を、これら各鋼材の長手方向に直交する方向に沿って配置された支持部材を介して、相互に連結し、前記複数の冷媒配管の各々を、前記鋼材の長手方向に平行な方向に沿って配置し、前記複数の冷媒配管を前記支持部材を介して前記鋼材に連結して構成された、準備工程と、前記準備工程で準備した前記冷媒配管ユニットを、前記支持部材を介してクレーンで吊り上げて搬送することにより、前記鋼材の長手方向が鉛直方向に沿った方向となる状態で前記建物の所定位置に配置する配置工程と、前記配置工程において前記建物の所定位置に配置した前記冷媒配管ユニットの所定部分を埋設するように、前記建物にコンクリートを打設することにより、前記建物に床部を形成する形成工程と、前記配置工程又は前記形成工程の後、前記支持部材を介して行われている前記複数の冷媒配管と前記鋼材との連結の少なくとも一部を解除することにより、前記複数の冷媒配管を前記鋼材の長手方向に沿って移動可能とし、前記複数の冷媒配管の鉛直方向における位置を調整する調整工程と、前記調整工程の後、前記複数の冷媒配管の各々に、空調設備に直接的又は間接的に接続された他の冷媒配管を接続する接続工程とを含むことを特徴とする。
（付記の効果）
付記１に記載の冷媒配管ユニットによれば、棒状又は管状の一対の鋼材を支持部材として用いて、複数の冷媒配管を水平状態から鉛直状態に吊り上げることができるので、特別な材料や特別な構造を用いることなく、冷媒配管ユニットを製造する手間やコストを低減することができる。
また、複数の冷媒配管を一対の鋼材の並設方向に沿って並設しているので、冷媒配管ユニットが全体として横長状になるために、建屋の配管設置用開口部の一般的な形状と適合する。また、各冷媒配管から特定の方向への横引きや分岐が容易になる。これらのことから、建設現場における施工性を向上させることができる。
付記２に記載の冷媒配管ユニットによれば、冷媒配管を複数列並設したので、冷媒配管配置上のスペース効率を向上させることができ、同一のスペースに対して従来よりも多くの冷媒配管を設置することができる。
付記３に記載の冷媒配管ユニットによれば、鋼材及び冷媒配管を、床貫通部材のスリーブに挿通させることで、建物の床部に貫通状に配置することができるため、床貫通構造を容易に形成することができる。
付記４に記載の冷媒配管ユニットによれば、冷媒配管ユニットを配管設置用開口部に挿通させる場合には、取付部材を配管設置用開口部における特定方向の幅よりも側方に突出しない位置に回転させ、冷媒配管ユニットを配管設置用開口部に固定する場合には、取付部材を配管設置用開口部における特定方向の幅よりも側方に突出する位置に回転させることで、冷媒配管ユニットの挿通や固定を容易に行うことができる。
付記５に記載の冷媒配管ユニットによれば、床貫通部材には、当該冷媒配管ユニットを吊り上げるための吊上部材を設けたので、吊上部材を介して冷媒配管ユニットの吊り上げを行うことが可能になる。特に、鋼材の端部以外の位置に配置された床貫通部材に吊上部材を設けたので、冷媒配管ユニットを端部以外の位置で吊り上げることができ、端部で吊り上げる場合に比べて、鋼材や冷媒配管に加わる最大曲げ応力や最大曲げモーメントを小さくでき、鋼材必要強度を小さくできて、細径や薄肉の鋼材を利用できるため、冷媒配管ユニットの製造コストを低減できる。
付記６に記載の冷媒配管ユニットによれば、冷媒配管を固定支持部材を介して鋼材に取り外し可能に固定したので、固定状態においては、冷媒配管を鋼材で支持して一体に搬送等することができ、取り外し状態においては、冷媒配管を鋼材長手方向に沿って位置調整することができ、冷媒配管の設置を容易に行うことができる。
付記７に記載の冷媒配管ユニットによれば、冷媒配管を、鋼材長手方向に直交する方向に移動することを規制するように、かつ、鋼材長手方向に沿って移動可能となるように、振止支持部材を介して鋼材に取り付けたので、冷媒配管を鋼材長手方向に沿って位置調整することを可能としつつ、冷媒配管が鋼材長手方向に直交する方向に振動等することを規制できるので、冷媒配管の設置や安定化を容易に行うことができる。
付記８に記載の冷媒配管ユニットによれば、鋼材は鋼管であるため、鋼管を、冷媒配管を支持する構造支持材として使用すると共に、各種の配管として利用することができ、冷媒配管を支持する機能のみを有する専用構造支持材としての鋼材を設ける必要がなくなるため、冷媒配管ユニットを製造する手間やコストを一層低減することができる。
付記９に記載の冷媒配管施工方法によれば、棒状又は管状の一対の鋼材を支持部材として用いて、複数の冷媒配管を水平状態から鉛直状態に吊り上げることができるので、特別な材料や特別な構造を用いることなく、冷媒配管ユニットを製造する手間やコストを低減することができる。
また、複数の冷媒配管を一対の鋼材の並設方向に沿って並設しているので、冷媒配管ユニットが全体として横長状になるために、建屋の配管設置用開口部の一般的な形状と適合する。また、各冷媒配管から特定の方向への横引きや分岐が容易になる。これらのことから、建設現場における施工性を向上させることができる。
また、支持部材を介して行われている複数の冷媒配管と鋼材との連結の少なくとも一部を解除することにより、冷媒配管を鋼材長手方向に沿って位置調整することができ、冷媒配管の設置を容易に行うことができる。
【符号の説明】
【００８７】
１  冷媒配管ユニット
２  鋼管
３  冷媒配管
１０  固定支持部材
１１、１４、２１  固定ブラケット
１２  パイプサポート
１２ａ  パイプサポート本体
１２ｂ  接続板
１３、２２、３５、３６  固定バンド
１３ａ  固定バンド本体
１３ｂ、１４ｂ  固定ステー
１３ｃ  接続板
１４ａ  固定ブラケット本体
２０  振止支持部材
３０  床貫通部材
３１  基部
３２  固定部
３３  冷媒配管用スリーブ
３４  鋼管用スリーブ
３７  取付部材
３７ａ  可動部
３７ｂ  掛止部
３８  吊上部材
３８ａ  取付孔
４０  保温材
１００  建物
１０１  床部
１０２  配管設置用開口部
１０３  コンクリート
１０４  梁
１０５  デッキプレート
２００  ワイヤー
【図１】
0005897902.tif 000002
【図２】
0005897902.tif 000003
【図３】
0005897902.tif 000004
【図４】
0005897902.tif 000005
【図５】
0005897902.tif 000006
【図６】
0005897902.tif 000007
【図７】
0005897902.tif 000008
【図８】
0005897902.tif 000009
【図９】
0005897902.tif 000010
【図１０】
0005897902.tif 000011
【図１１】
0005897902.tif 000012
【図１２】
0005897902.tif 000013
【図１３】
0005897902.tif 000014
【図１４】
0005897902.tif 000015
【図１５】
0005897902.tif 000016
【図１６】
0005897902.tif 000017
【図１７】
0005897902.tif 000018
【図１８】
0005897902.tif 000019